(57)【要約】      （修正有）【課題】印刷データを画像形成装置から取り出す場合のユーザの負担を軽減させる手段を提供する。【解決手段】パスワードが付与された印刷データを受信して印刷データに基づいて認証印刷を実行する画像形成装置と、画像形成装置２００と通信可能に接続されたモバイル端末３００とを有する情報処理システムであって、モバイル端末は、画像形成装置と近距離無線通信を行う近距離無線通信部と、近距離無線通信部を介して取得した画像形成装置の識別番号とモバイル端末の識別番号から登録用パスワードを生成するパスワード生成部と、登録用パスワードと画像形成装置から送信された印刷データに付加されたパスワードとに基づいて認証を行い、認証が成功した場合に印刷データを受信するアプリケーション部と、を有する。【選択図】図２
2020140553.tif 000002
【特許請求の範囲】
【請求項１】
パスワードが付与された印刷データを受信して該印刷データに基づいて認証印刷を実行する画像形成装置と、前記画像形成装置と通信可能に接続されたモバイル端末とを有する情報処理システムであって、
前記画像形成装置は、
前記受信した印刷データと前記印刷データに付加されたパスワードとを関連付けて記憶する記憶部と、
前記モバイル端末と近距離無線通信を行う近距離無線通信部と、
前記近距離無線通信部を介して取得した前記モバイル端末の識別番号と前記画像形成装置の識別番号から登録用パスワードを生成するパスワード生成部と、
前記登録用パスワードと前記記憶部に記憶された印刷データに付加されたパスワードとに基づいて認証を行い、認証が成功した場合に前記印刷データをモバイル端末に送信する認証印刷制御部と、
を有し、
前記モバイル端末は、
前記画像形成装置と近距離無線通信を行う近距離無線通信部と、
前記近距離無線通信部を介して取得した前記画像形成装置の識別番号と前記モバイル端末の識別番号から登録用パスワードを生成するパスワード生成部と、
前記登録用パスワードと前記画像形成装置から送信された印刷データに付加されたパスワードとに基づいて認証を行い、認証が成功した場合に前記印刷データを受信するアプリケーション部と、
を有することを特徴とする情報処理システム。
【請求項２】
請求項１に記載の情報処理システムにおいて、
前記画像形成装置の記憶部は、
前記印刷データに付加されたパスワードに応じた格納場所に印刷データを記憶することを特徴とする情報処理システム。
【請求項３】
請求項１または請求項２に記載の情報処理システムにおいて、
前記画像形成装置の認証部は、
認証が成功した印刷データが複数ある場合、前記印刷データを受信した順序にしたがって印刷データを前記モバイル端末に送信することを特徴とする情報処理システム。
【請求項４】
認証印刷用パスワードまたは登録用パスワードを生成し第１の表示部に表示させるパスワード生成ステップと、
前記第１の表示部とは異なる第２の表示部を用いて前記認証印刷用パスワードまたは前記登録用パスワードを入力させるパスワード入力ステップと、
印刷データに前記認証用パスワードまたは前記登録用パスワードを関連付けるパスワード関連付けステップと、
前記認証印刷用パスワードまたは前記登録用パスワードが関連付けられた前記印刷データを記憶する記憶ステップと、
モバイル端末と画像形成装置とが近距離無線通信を用いて前記認証印刷用パスワードまたは前記登録用パスワードに関連する情報を通信する近距離無線通信ステップと、
前記近距離無線通信にて取得した前記認証印刷用パスワードまたは前記登録用パスワードに関連する情報と前記印刷データに関連付けて記憶した前記認証印刷用パスワードまたは前記登録用パスワードを用いて認証を行う認証ステップと、
前記印刷データに前記認証印刷用パスワードが付与されていて前記認証ステップが実行されると印刷を行う印刷ステップと、
前記印刷データに前記登録用パスワードが付与されていて前記認証ステップが実行されると前記登録用パスワードに関連する情報を通信した前記モバイル端末に前記印刷データを送信するステップと、
を有することを特徴とする情報処理方法。
【請求項５】
請求項４に記載の情報処理方法において、
前記パスワード生成ステップは、
前記モバイル端末の識別番号と前記画像形成装置の識別番号から登録用パスワードを生成することを特徴とする情報処理方法。
【発明の詳細な説明】
【技術分野】
【０００１】
本発明は、画像形成装置とモバイル端末とが通信可能に接続された情報処理システム及び情報処理方法に関する。
【背景技術】
【０００２】
従来の情報処理システムは、画像形成装置から送信された認証情報に基づいて認証を受けることで、モバイル端末から画像形成装置に印刷指示をする際に必要な認証情報の入力の手間を省くようにしている。（例えば、特許文献１参照）。
【先行技術文献】
【特許文献】
【０００３】
【特許文献１】特開２０１６−０４３６１４号公報
【発明の概要】
【発明が解決しようとする課題】
【０００４】
しかしながら、従来の技術においては、印刷せずに印刷データを取得したい場合、印刷データを画像形成装置から取り出す必要があり、ユーザに負担がかかるという問題がある。
【０００５】
本発明は、このような問題を解決することを課題とし、印刷データを画像形成装置から取り出す場合のユーザの負担を軽減させることを目的とする。
【課題を解決するための手段】
【０００６】
そのため、本発明は、パスワードが付与された印刷データを受信して該印刷データに基づいて認証印刷を実行する画像形成装置と、前記画像形成装置と通信可能に接続されたモバイル端末とを有する情報処理システムであって、前記画像形成装置は、前記受信した印刷データと前記印刷データに付加されたパスワードとを関連付けて記憶する記憶部と、前記モバイル端末と近距離無線通信を行う近距離無線通信部と、前記近距離無線通信部を介して取得した前記モバイル端末の識別番号と前記画像形成装置の識別番号から登録用パスワードを生成するパスワード生成部と、前記登録用パスワードと前記記憶部に記憶された印刷データに付加されたパスワードとに基づいて認証を行い、認証が成功した場合に前記印刷データをモバイル端末に送信する認証印刷制御部と、を有し、前記モバイル端末は、前記画像形成装置と近距離無線通信を行う近距離無線通信部と、前記近距離無線通信部を介して取得した前記画像形成装置の識別番号と前記モバイル端末の識別番号から登録用パスワードを生成するパスワード生成部と、前記登録用パスワードと前記画像形成装置から送信された印刷データに付加されたパスワードとに基づいて認証を行い、認証が成功した場合に前記印刷データを受信するアプリケーション部と、を有することを特徴とする。
【発明の効果】
【０００７】
このようにした本発明は、印刷データを画像形成装置から取り出す場合のユーザの負担を軽減させることができるという効果が得られる。
【図面の簡単な説明】
【０００８】
【図１】実施例における情報処理システムの構成を示す説明図
【図２】実施例における情報処理システムの構成を示すブロック図
【図３】実施例における登録用パスワードの説明図
【図４】実施例における記憶部の格納場所の説明図
【図５】実施例における上位端末、画像形成装置及びモバイル端末の表示画面の説明図
【図６】実施例における登録用パスワード生成処理の流れを示すフローチャート
【図７】実施例における認証印刷指示の流れを示すフローチャート
【図８】実施例における画像形成装置による印刷データの保存処理の流れを示すフローチャート
【図９】実施例における画像形成装置からの受信データ取り出し処理の流れを示すフローチャート
【図１０】実施例におけるモバイル端末への印刷データの送信処理の流れを示すフローチャート
【発明を実施するための形態】
【０００９】
以下、図面を参照して本発明による情報処理システム及び情報処理方法の実施例を説明する。
【実施例１】
【００１０】
図１は実施例における情報処理システムの構成を示す説明図である。
【００１１】
図１において、情報処理システム１は、上位端末１００と、画像形成装置２００と、モバイル端末３００とを有している。
【００１２】
上位端末１００と画像形成装置２００とは、ＬＡＮ（Ｌｏｃａｌ  Ａｒｅａ  Ｎｅｔｗｏｒｋ）やＵＳＢ（Ｕｎｉｖａｅｒｓａｌ  Ｓｅｒｉａｌ  Ｂｕｓ）等の通信回線を介して通信可能に接続されている。
【００１３】
また、画像形成装置２００とモバイル端末３００とは、通信回線としてのＬＡＮを介して通信可能に接続されている。
【００１４】
さらに、画像形成装置２００とモバイル端末３００は、情報の授受が可能なＮＦＣ（Ｎｅａｒ  Ｆｉｅｌｄ  Ｃｏｍｍｕｎｉｃａｔｉｏｎ）を備え、ＮＦＣにより通信可能になっている。
【００１５】
なお、画像形成装置２００とモバイル端末３００との間の通信方法をＮＦＣとして説明するが、Ｂｌｕｅｔｏｏｔｈ（登録商標）の近距離無線通信等であっても良い。
【００１６】
上位端末１００は、例えば、ＰＣ（Ｐｅｒｓｏｎａｌ  Ｃｏｍｐｕｔｅｒ）であり、画像形成装置２００に印刷データを送信し、印刷を行わせるものである。
【００１７】
画像形成装置２００は、例えば、プリンタであり、上位装置から受信した印刷データを印刷するものである。
【００１８】
本実施例では、印刷データにパスワードを付加することにより認証印刷を行うものとする。
【００１９】
ここで、認証印刷とは、個人情報や機密情報等が他人に見られることを防ぐため、画像形成装置２００においてパスワード等による認証処理が必要となる印刷方法である。
【００２０】
モバイル端末３００は、例えば、スマートフォンや携帯電話等であり、画像形成装置２００との間でＮＦＣ通信をして認証処理を行い、認証が成功すると印刷データを画像形成装置から取り出すことができる。
【００２１】
図２は実施例における情報処理システムの構成を示すブロック図である。
【００２２】
図２において、画像形成装置２００は、ネットワーク通信部２０１と、近距離無線通信部２０３と、操作部２０５と、データ送受信部２０７と、認証印刷制御部２１０と、記憶部２２０と、パスワード入力検出部２３０と、印刷データ処理部２４０と、印刷出力部２５０と、表示部２６０と、表示データ生成部２７０とを有している。
【００２３】
また、画像形成装置２００は、ＣＰＵ（Ｃｅｎｔｒａｌ  Ｐｒｏｃｅｓｓｉｎｇ  Ｕｎｉｔ）等の制御手段を備え、メモリ等の記憶部に記憶された制御プログラム（ソフトウェア）に基づいてそれぞれの動作を制御する。
【００２４】
ネットワーク通信部２０１は、ＬＡＮを介して上位端末１００及びモバイル端末３００との間でデータの通信制御を行うものである。
【００２５】
近距離無線通信部２０３は、ＮＦＣを介してモバイル端末３００との間でデータの通信制御を行うものである。
【００２６】
操作部２０５は、ディスプレイ等の表示手段やハードキーやタッチパネル等の入力手段を備え、ユーザに対して情報の表示やユーザから装置設定等の入力操作を受け付けるオペレーションパネル等である。
【００２７】
データ送受信部２０７は、ネットワーク通信部２０１を介して上位端末１００及びモバイル端末３００との間、近距離無線通信部２０３を介してモバイル端末３００との間でデータの送受信を行うものである。
【００２８】
また、データ送受信部２０７は、上位端末１００からパスワードが付加された印刷データを受信するものである。
【００２９】
認証印刷制御部２１０は、パスワード解析部２１１と、印刷データ格納指示部２１２と、パスワード生成部２１３と、認証部２１４とを有している。
【００３０】
パスワード解析部２１１は、印刷データに付加されたパスワードを解析するものである。
【００３１】
印刷データ格納指示部２１２は、印刷データと印刷データに付加されたパスワードとを関連付けて記憶部２２０に格納（記憶）させるものである。
【００３２】
パスワード生成部２１３は、近距離無線通信部２０３を介して取得したモバイル端末３００の識別番号と画像形成装置２００の識別番号とから登録用パスワードとしてのパスワードを生成するものである。
【００３３】
本実施例では、識別番号として画像形成装置２００及びモバイル端末３００のＭＡＣアドレスを用いる。
【００３４】
ここで、登録用パスワードについて図３の実施例における登録用パスワードの説明図に基づいて説明する。
【００３５】
図３に示すように、登録用パスワード「ＲＤ−１１Ｆ５２６」は、パスワード生成部２１３により、モバイル端末３００のＭＡＣアドレス「０４−Ａ３−４３−５Ｆ−４３−２３」と画像形成装置２００のＭＡＣアドレス「３２−６１−３Ｃ−４Ｅ−Ｂ６−０５」の下位３バイトのデータのＸＯＲ（排他的論理和）データの先頭部分に「ＲＤ−」を加えて生成される。
【００３６】
認証部２１４は、登録用パスワードと記憶部２２０に記憶された印刷データに関連付けられたパスワードとに基づいて認証を行い、認証が成功した場合に印刷データをモバイル端末３００に送信するものである。
【００３７】
ここで、認証が成功した場合とは、登録用パスワードと印刷データに関連付けられたパスワードとが一致する場合である。
【００３８】
記憶部２２０は、ハードディスクやメモリとしてのＲＡＭ（Ｒａｎｄｏｍ  Ａｃｃｅｓｓ  Ｍｅｍｏｒｙ）等の記憶装置であり、印刷データと印刷データに付加されたパスワードとを関連付けて記憶するものである。
【００３９】
また、記憶部２２０は、印刷データに関連付けられたパスワードに応じた格納場所に、印刷データと印刷データに付加されたパスワードとを関連付けて記憶するものである。
【００４０】
記憶部２２０の格納場所について図４の実施例における記憶部の格納場所の説明図に基づいて説明する。
【００４１】
ユーザは、画像形成装置２００において認証を受けることにより、印刷データを画像形成装置２００から取り出したい場合は登録用パスワードを印刷データに付加して受信データ取り出し用印刷データとし、印刷データを印刷したい場合は認証印刷用パスワードとしての任意のパスワードを印刷データに付加して認証印刷用印刷データとして認証印刷の指示を行う。
【００４２】
図４（ａ）に示すように、記憶部２２０は、印刷データに関連付けられたパスワードが登録用パスワードであるか否かによって格納場所を判断して記憶する。
【００４３】
記憶部２２０は、印刷データを、パスワードの先頭部分に「ＲＤ−」が付加されている場合は図４（ａ）右図に示す受信データ取り出し用印刷データの格納場所に格納（記憶）し、パスワードの先頭部分に「ＲＤ−」が付加されていない場合は図４左図に示す認証印刷用印刷データの格納場所に格納（記憶）する。
【００４４】
すなわち、記憶部２２０は、印刷データに関連付けられたパスワードが登録用パスワードであるか認証印刷用パスワードであるかによって格納場所を判断して記憶する。
【００４５】
なお、本実施例では、記憶部２２０は印刷データに関連付けられたパスワードに応じた格納場所に印刷データを記憶するとして説明したが、それに限定されず、図４（ｂ）に示すように、受信データ取り出し用印刷データと認証印刷用印刷データとを同じ格納場所に記憶するようにしてもよい。
【００４６】
パスワード入力検出部２３０は、操作部２０５により入力されたパスワードを検出するものである。
【００４７】
印刷データ生成部２６５は、パスワード入力検出部２３０で検出されたパスワードと一致する認証印刷用パスワードとしての任意のパスワードが関連付けられた印刷データが記憶部２２０に記憶されている場合、その印刷データを生成する。
【００４８】
表示データ生成部２７０は、認証を成功した印刷データが複数ある場合、印刷データのファイルリストを生成し、表示部２６０に表示する。
【００４９】
印刷データ処理部２４０は、印刷データを印刷可能なデータに処理するものである。
【００５０】
印刷出力部２５０は、印刷データを媒体に印刷（出力）するものである。
また、認証印刷用パスワードが関連付けられた印刷データは、印刷データ処理部２４０により印刷可能なデータに処理された後、印刷出力部２５０により媒体へ印刷（出力）される。
【００５１】
図２において、モバイル端末３００は、ネットワーク通信部３０１と、操作部３０２と、表示部３０３と、近距離無線通信部３０４と、アプリケーション部３１０と、記憶部３２０とを有する。
【００５２】
ネットワーク通信部３０１は、ＬＡＮを介して画像形成装置２００との間でデータの通信制御を行うものである。
【００５３】
操作部３０２は、ユーザの入力操作を受け付ける操作手段であり、例えば表示部３０３に表示されるメッセージに対する確認（承諾または拒否）の入力操作を受け付けるものである。
【００５４】
第１の表示部としての表示部３０３は、ディスプレイ等の表示手段であり、確認メッセージ等の各種情報を表示するものである。
【００５５】
近距離無線通信部３０４は、ＮＦＣを介して画像形成装置２００との間でデータの通信制御を行うものである。
【００５６】
アプリケーション部３１０は、データ送受信部３１１と、パスワード生成部３１２と、認証部３１３と、アプリケーション設定部３１４とを有する。
【００５７】
データ送受信部３１１は、ネットワーク通信部３０１及び近距離通信部を介して画像形成装置２００との間でデータの送受信を行うものである。
【００５８】
パスワード生成部３１２は、近距離無線通信部３０４を介して取得した画像形成装置２００の識別番号とモバイル端末３００の識別番号とから登録用パスワードを生成し表示するものである。
【００５９】
本実施例では、識別番号として画像形成装置２００及びモバイル端末３００のＭＡＣアドレスを用いる。
【００６０】
登録用パスワードは、上述した画像形成装置２００のパスワード生成部２１３と同様に、近距離無線通信部３０４を介して取得した画像形成装置２００のＭＡＣアドレスとモバイル端末３００のＭＡＣアドレスの下位３バイトのデータのＸＯＲ（排他的論理和）データの先頭部分に「ＲＤ−」を加えて生成される。
【００６１】
認証部３１３は、パスワード生成部３１２で生成された登録用パスワードと画像形成装置２００から送信された印刷データに関連付けられたパスワードとに基づいて認証を行い、認証が成功した場合に画像形成装置２００から印刷データを受信するものである
ここで、認証が成功した場合とは、パスワード生成部３１２で生成された登録用パスワードと画像形成装置２００から送信された印刷データに関連付けられたパスワードとが一致する場合である。
【００６２】
アプリケーション設定部３１４は、アプリケーションの設定を行うものである。
【００６３】
記憶部３２０は、ハードディスクやメモリとしてのＲＡＭ（Ｒａｎｄｏｍ  Ａｃｃｅｓｓ  Ｍｅｍｏｒｙ）等の記憶装置であり、画像形成装置２００から受信した印刷データを記憶するものである。
【００６４】
このように構成された図１に示す情報処理システム１は、モバイル端末３００を画像形成装置２００に近づけて近距離無線通信を行うことにより登録用パスワードが生成され、生成された登録用パスワードを印刷データに付加して上位端末１００から画像形成装置２００に送信し、印刷データを受信した画像形成装置２００は印刷データと印刷データに付加されたパスワードとを関連付けて記憶し、印刷データが記憶された画像形成装置２００にモバイル端末３００を近づけて近距離無線通信を行うと、画像形成装置２００はモバイル端末３００との近距離無線通信により生成された登録用パスワードと記憶部２２０に記憶された印刷データに関連付けられたパスワードとに基づいて認証を行い、認証が成功した場合に印刷データをモバイル端末３００に送信し、モバイル端末３００は画像形成装置２００とのＮＦＣ通信により生成された登録用パスワードと画像形成装置２００から送信された印刷データに関連付けられたパスワードとに基づいて認証を行い、認証が成功した場合に画像形成装置２００から印刷データを受信することにより、印刷データを画像形成装置２００から取り出す。
【００６５】
上述した構成の作用について説明する。
【００６６】
モバイル端末３００における登録用パスワード生成処理を図６の実施例における登録用パスワード生成処理の流れを示すフローチャートの図中Ｓで表すステップにしたがって図１から図５を参照しながら説明する。なお、図５は実施例における上位端末、画像形成装置及びモバイル端末の表示画面の説明図である。
【００６７】
Ｓ３０１：モバイル端末３００は、利用者の入力操作を操作部３０２で受け付け、記憶部３２０に記憶されたアプリケーションソフトウェア（モバイルアプリ）を起動する。
【００６８】
Ｓ３０２：ユーザは、図５（ａ）左図に示すようなモバイルアプリの表示画面から「登録用パスワード生成」を選択する。
【００６９】
Ｓ３０３：近距離無線通信部３０４は、ユーザがモバイル端末３００を画像形成装置２００に近づけると、画像形成装置２００との間でＮＦＣ通信を行う。
【００７０】
Ｓ３０４：パスワード生成部３１２は、近距離無線通信部３０４を介して画像形成装置２００のＭＡＣアドレス「３２−６１−３Ｃ−４Ｅ−Ｂ６−０５」を取得する。ＭＡＣアドレスを取得した場合はＳ３０５へ移行し、ＭＡＣアドレスを取得していない場合は待機する。
【００７１】
Ｓ３０５：パスワード生成部３１２は、モバイル端末３００のＭＡＣアドレス「０４−Ａ３−４３−５Ｆ−４３−２３」と近距離無線通信部３０４を介して取得した画像形成装置２００のＭＡＣアドレス「３２−６１−３Ｃ−４Ｅ−Ｂ６−０５」の下位３バイトのデータのＸＯＲデータの先頭部分に「ＲＤ−」を加えて登録用パスワード「ＲＤ−１１Ｆ５２６」を生成し、図５（ａ）右図に示すように表示する。
【００７２】
次に、上位端末１００から画像形成装置２００に行われる認証印刷指示を図７の実施例における認証印刷指示の流れを示すフローチャートの図中Ｓで表すステップにしたがって図１から図６を参照しながら説明する。
【００７３】
Ｓ４０１：ユーザは、上位端末１００を操作してアプリケーションを起動し、印刷したいデータを開く。
【００７４】
Ｓ４０２：ユーザは、プリンタドライバを開き、アプリケーションで作成されたデータから印刷可能な印刷データを生成する。
【００７５】
このとき、ユーザは、図５（ｂ）に示すように、上位端末の第２の表示部としての表示部に表示された認証印刷設定画面で印刷形式として認証印刷を選択する。
【００７６】
Ｓ４０３：ユーザは、認証印刷設定画面にジョブ名（印刷データ名）とパスワードを入力する。
【００７７】
Ｓ４０４：ユーザは、画像形成装置２００において認証が成功したときの印刷データの取得方法に基づいて認証印刷設定画面にパスワードを入力する。
【００７８】
すなわち、印刷データを画像形成装置２００から取り出すこと（受信データ取り出し）により取得したい場合はＳ４０５へ移行し、印刷データを印刷すること（認証印刷）により取得したい場合はＳ４０６へ移行する。
【００７９】
Ｓ４０５：ユーザは、認証印刷設定画面に、図６中ステップＳ３０５で生成された登録用パスワードを入力する。
【００８０】
Ｓ４０６：ユーザは、認証印刷設定画面に認証印刷用パスワードを入力する。
【００８１】
Ｓ４０７：ユーザは、認証印刷設定を終了し、画像形成装置２００への認証印刷指示を完了する。上位端末１００は、パスワードが付加された印刷データを画像形成装置２００に送信する。
【００８２】
次に、画像形成装置２００における印刷データの保存処理を図８の実施例における画像形成装置による印刷データの保存処理の流れを示すフローチャートの図中Ｓで表すステップにしたがって図１から図７を参照しながら説明する。
【００８３】
Ｓ５０１：画像形成装置２００のネットワーク通信部２０１を介して上位端末１００から印刷データを受信する。
【００８４】
Ｓ５０２：パスワード解析部２１１は、印刷データに付加されたパスワードがあるか解析する。印刷データにパスワードが付加されている場合はＳ５０３へ移行し、印刷データにパスワードが付加されていない場合は通常印刷用の印刷データとしてＳ５０６へ移行する。
【００８５】
Ｓ５０３：印刷データ格納指示部２１２は、印刷データと印刷データに付加されたパスワードとを関連付けて記憶部２２０に記憶させる。
【００８６】
記憶部２２０は、印刷データに関連付けられたパスワードに基づいて格納場所を判断する。すなわち、記憶部２２０は、図７中ステップＳ４０４において、ユーザにより選択された認証成功時の印刷データ取得方法に応じて、印刷データの格納場所を判断している。
【００８７】
記憶部２２０は、パスワードの先頭部分に「ＲＤ−」が付加されている場合は登録用パスワードであると判断してＳ５０４へ移行し、パスワードの先頭部分に「ＲＤ−」が付加されていない場合は認証印刷用パスワードであると判断してＳ５０５へ移行する。
【００８８】
Ｓ５０４：記憶部２２０は、図４（ａ）右図に示すように、受信データ取り出し用の印刷データとして、印刷データを登録用パスワードと関連付けて保存（記憶）する。
【００８９】
Ｓ５０５：記憶部２２０は、図４（ａ）左図に示すように、認証印刷用の印刷データとして、印刷データを認証印刷用パスワードと関連付けて保存（記憶）する。
【００９０】
Ｓ５０６：記憶部２２０は、通常印刷用の印刷データとして保存（記憶）する。
【００９１】
ここで、記憶部２２０は、図４（ｂ）に示すように受信データ取り出し用の印刷データと認証印刷用の印刷データの格納場所を分けることにより、両データが混在しないように管理する。
【００９２】
また、記憶部２２０は、図４（ｂ）に示すように、受信データ取り出し用の印刷データと認証印刷用の印刷データの格納場所を分けず両者が混在する場合は、パスワードの先頭部分「ＲＤ−」で区別することにより管理する。
【００９３】
次に、モバイル端末３００が行う画像形成装置２００からの受信データ取り出し処理を図９の実施例における画像形成装置からの受信データ取り出し処理の流れを示すフローチャートの図中Ｓで表すステップにしたがって図１から図８を参照しながら説明する。
【００９４】
Ｓ６０１：ユーザは、モバイル端末３００を操作してモバイルアプリを起動する。
【００９５】
Ｓ６０２：ユーザは、図５（ｃ）左図に示すようなモバイルアプリの表示画面から「受信データ取り出し」を選択する。
【００９６】
Ｓ６０３：モバイル端末３００の近距離無線通信部３０４は、ユーザがモバイル端末３００を画像形成装置２００に近づけると、画像形成装置２００との間でＮＦＣ通信を行う。
【００９７】
Ｓ６０４：パスワード生成部３１２は、近距離無線通信部３０４を介して画像形成装置２００のＭＡＣアドレス「３２−６１−３Ｃ−４Ｅ−Ｂ６−０５」を取得する。ＭＡＣアドレスを取得した場合はＳ６０５へ移行し、ＭＡＣアドレスを取得していない場合は待機する。
【００９８】
Ｓ６０５：パスワード生成部３１２は、モバイル端末３００のＭＡＣアドレス「０４−Ａ３−４３−５Ｆ−４３−２３」と近距離無線通信部３０４を介して取得した画像形成装置２００のＭＡＣアドレス「３２−６１−３Ｃ−４Ｅ−Ｂ６−０５」の下位３バイトのデータのＸＯＲデータの先頭部分に「ＲＤ−」を加えて登録用パスワード「ＲＤ−１１Ｆ５２６」を生成する。
【００９９】
Ｓ６０６：認証部３１３は、パスワード生成部３１２で生成された登録用パスワードと画像形成装置２００から送信された印刷データに関連付けられたパスワードとが一致するか否か判断し、登録用パスワードと一致する場合は認証成功としてＳ６０７へ移行し、登録用パスワードと一致しない場合は本処理を終了する。
【０１００】
Ｓ６０７：認証部３１３は、認証が成功すると画像形成装置２００から印刷データを受信することにより、印刷データを画像形成装置２００から取り出す。
【０１０１】
ここで、Ｓ６０６において登録用パスワードと一致するパスワードが付加された印刷データが複数ある場合、つまり認証を成功した印刷データが複数ある場合、ユーザは、表示データ生成部２７０によりモバイル端末３００に表示された印刷データのファイルリストから所望の印刷データを選択して画像形成装置２００から印刷データを取り出すことができる。
【０１０２】
Ｓ６０８：記憶部３２０は、画像形成装置２００から取り出した印刷データのファイルを保存（記憶）する。
【０１０３】
次に、画像形成装置２００が行うモバイル端末３００への印刷データの送信処理を図１０の実施例におけるモバイル端末への印刷データの送信処理の流れを示すフローチャートの図中Ｓで表すステップにしたがって図１から図９を参照しながら説明する。
【０１０４】
Ｓ６１１：画像形成装置２００の近距離無線通信部２０３は、ユーザがモバイル端末３００を画像形成装置２００近づけると、モバイル端末３００との間でＮＦＣ通信を行う。
【０１０５】
Ｓ６１２：パスワード生成部２１３は、近距離無線通信部２０３を介してモバイル端末３００のＭＡＣアドレス「０４−Ａ３−４３−５Ｆ−４３−２３」を取得する。ＭＡＣアドレスを取得した場合はＳ６１３へ移行し、ＭＡＣアドレスを取得していない場合は待機する。
【０１０６】
Ｓ６１３：パスワード生成部２１３は、画像形成装置２００のＭＡＣアドレス「３２−６１−３Ｃ−４Ｅ−Ｂ６−０５」と近距離無線通信部２０３を介して取得したモバイル端末３００のＭＡＣアドレス「０４−Ａ３−４３−５Ｆ−４３−２３」の下位３バイトのデータのＸＯＲデータの先頭部分に「ＲＤ−」を加えて登録用パスワード「ＲＤ−１１Ｆ５２６」を生成する。
【０１０７】
Ｓ６１４：認証部２１４は、パスワード生成部２１３で生成された登録用パスワードと記憶部２２０に格納された印刷データに関連付けられたパスワードとが一致するか否か判断し、登録用パスワードと一致する場合は認証成功としてＳ６１５へ移行し、登録用パスワードと一致しない場合は本処理を終了する。
【０１０８】
Ｓ６１５：認証部２１４は、認証が成功すると印刷データをモバイル端末３００に送信する。
【０１０９】
このように本実施例では、情報処理システム１は、モバイル端末３００を画像形成装置２００に近づけて近距離無線通信を行うことにより登録用パスワードが生成され、生成された登録用パスワードを印刷データに付加して上位端末１００から画像形成装置２００に送信し、印刷データを受信した画像形成装置２００は印刷データと印刷データに付加されたパスワードとを関連付けて記憶し、印刷データが記憶された画像形成装置２００にモバイル端末３００を近づけて近距離無線通信を行うと、画像形成装置２００はモバイル端末３００との近距離無線通信により生成された登録用パスワードと記憶部２２０に記憶された印刷データに関連付けられたパスワードとに基づいて認証を行い、認証が成功した場合に印刷データをモバイル端末３００に送信し、モバイル端末３００は画像形成装置２００とのＮＦＣ通信により生成された登録用パスワードと画像形成装置２００から送信された印刷データに関連付けられたパスワードとに基づいて認証を行い、認証が成功した場合に画像形成装置２００から印刷データを受信するようにしたことにより、印刷データを画像形成装置２００から取り出す場合のユーザの負担を軽減させることができる。
【０１１０】
また、上位端末１００から画像形成装置２００に送信された印刷データを、画像形成装置２００にモバイル端末３００を近づけてＮＦＣ通信を行い、認証を受けることで、モバイル端末３００に取り込むことができるので、例えば、ＨｅｘＤｕｍｐ印刷等の代替機能として用いることができる。
【０１１１】
さらに、上位端末１００から画像形成装置２００に送信された印刷データを印刷することなく、モバイル端末３００に取り込むことができるので、画像形成装置２００の用紙、トナー、ドラム等の消耗を抑制することができる。
【０１１２】
さらに、画像形成装置２００に問題がある場合、例えば、部品の交換等で印刷できない場合であっても、モバイル端末３００に取り込んだ印刷データを他の画像形成装置２００に送信することにより印刷することができる。
【０１１３】
なお、本実施例では、認証を成功した印刷データが複数ある場合はモバイル端末３００に表示されるファイルリストから所望の印刷データを選択して印刷データを取り出すことができると説明したが、それに限定されず、画像形成装置２００の認証部２１４は、認証を成功した印刷データが複数ある場合は、印刷データを受信した順序に応じて、例えば、先入れ先出しの順序（ＦＩＦＯ：Ｆｉｒｓｔ  ｉｎ  Ｆｉｒｓｔ  Ｏｕｔ）や、後入れ先出しの順序（ＬＩＦＯ：Ｌａｓｔ  ｉｎ  Ｆｉｒｓｔ  Ｏｕｔ）等にしたがって印刷データをモバイル端末３００に送信するようにしてもよい。
【０１１４】
以上説明したように、本実施例では、印刷データを画像形成装置から取り出す場合のユーザの負担を軽減させることができるという効果が得られる。
【０１１５】
また、上位端末から画像形成装置に送信された印刷データをモバイル端末に取り込むことができるので、例えば、ＨｅｘＤｕｍｐ印刷等の代替機能として用いることができるという効果が得られる。
【０１１６】
さらに、印刷データを印刷することなく取得できるので、画像形成装置の用紙、トナー、ドラム等の消耗を抑制することができるという効果が得られる。
【０１１７】
さらに、画像形成装置に問題があり印刷できない場合であっても、モバイル端末に取り込んだ印刷データを他の画像形成装置に送信することにより印刷することができるという効果が得られる。
【０１１８】
なお、本実施例では、画像形成装置に適用された例を説明したが、コピー機能、スキャン機能、プリント機能、ファックス機能を有する複合装置にも適用可能である。
【符号の説明】
【０１１９】
１      情報処理システム
１００  上位端末
２００  画像形成装置
２０１  ネットワーク通信部３０１
２０３  近距離無線通信部３０４
２０５  操作部３０２
２０７  データ送受信部３１１
２１０  認証印刷制御部
２１１  パスワード解析部
２１２  印刷データ格納指示部
２１３  パスワード生成部
２１４  認証部
２２０  記憶部
２３０  パスワード入力検出部
２４０  印刷データ処理部
２５０  印刷出力部
２６０  表示部
２６５  印刷データ生成部
２７０  表示データ生成部
３００  モバイル端末
３０１  ネットワーク通信部
３０２  操作部
３０３  表示部
３０４  近距離無線通信部
３１０  アプリケーション部
３１１  データ送受信部
３１２  パスワード生成部
３１３  認証部
３１４  アプリケーション設定部
３２０  記憶部
【図１】
2020140553.tif 000003
【図２】
2020140553.tif 000004
【図３】
2020140553.tif 000005
【図４】
2020140553.tif 000006
【図５】
2020140553.tif 000007
【図６】
2020140553.tif 000008
【図７】
2020140553.tif 000009
【図８】
2020140553.tif 000010
【図９】
2020140553.tif 000011
【図１０】
2020140553.tif 000012